(57)【要約】【課題】フラワーコンテナやバケットを乗せた状態で棚板を前傾姿勢に変更でき、その前傾姿勢への変更が容易にできる花卉運搬台車を提供する。【解決手段】略矩形の基台２に複数の走行車輪７を設け、当該基台２の各コーナ近傍部にそれぞれ支柱３を設け、これらの支柱３に複数の棚板４を上下多段で高さ変更可能に装着するフック係合孔１２を設け、上記棚板４を水平姿勢と前傾姿勢とに変更可能に構成する。上記基台２の少なくとも後方左右のコーナ近傍部に支柱保持筒８・８を設け、これらの支柱保持筒８・８でそれぞれ支柱３・３を昇降可能に保持し、各支柱保持筒８にあけたピン挿入孔にそれぞれピン１１を着脱自在に挿入して後方の各支柱３・３を前方の各支柱３・３に対して相対上昇位置で受け止めることにより、前記棚板４が前傾姿勢となるように構成する。【選択図】　図１
2004017858.tif 000002
【特許請求の範囲】
【請求項１】
略矩形の基台（２）に複数の走行車輪（７）を設けるとともに、当該基台（２）の各コーナ近傍部にそれぞれ支柱（３）を設け、これらの支柱（３）に複数の棚板（４）を上下多段で高さ変更可能に装着するフック係合孔（１２）を設け、上記棚板（４）を水平姿勢と前傾姿勢とに変更可能に構成した花卉運搬台車において、
上記基台（２）の少なくとも後方左右のコーナ近傍部に支柱保持筒（８・８）を設け、これらの支柱保持筒（８・８）でそれぞれ支柱（３・３）を昇降可能に保持し、各支柱保持筒（８）にあけたピン挿入孔（１０）にそれぞれピン（１１）を着脱自在に挿入して後方の各支柱（３・３）を前方の各支柱（３・３）に対して相対上昇位置で受け止めることにより、前記棚板（４）が前傾姿勢となるように構成した、ことを特徴とする花卉運搬台車。
【請求項２】
請求項１に記載した花卉運搬台車において、
各支柱保持筒（８）に上記ピン（１１）の脱落を防止するピン拘束手段（２０）を付設した、ことを特徴とする花卉運搬台車。
【請求項３】
請求項１又は請求項２に記載の花卉運搬台車において、
各支柱（３）の同じ高さのフック係合孔（１２）を同じ形状に形成するとともに、上下に隣接するフック係合孔（１２）を異形状に形成した、ことを特徴とする花卉運搬台車。
【発明の詳細な説明】
【０００１】
【発明の属する技術分野】
本発明は、生花市場等で取引される園芸植物を運搬する際に使用される花卉運搬台車に関する。
【０００２】
【従来の技術】
この種の花卉運搬台車としては、例えば本出願人の提案に係るもので、図６に符号１で示すものが知られている（特開平７−７６２７８号公報）。
この花卉運搬台車１は、図６に示すように、略矩形の基台２の下面に複数の走行車輪７を設けるとともに、当該基台２のコーナ近傍部にそれぞれ支柱３を設け、これらの支柱３に上下多段で複数の棚板４を高さ変更可能に装着するフック係合孔１２を設け、これらの棚板４は図６に示す水平姿勢と、図７に示す前下がりの傾斜姿勢（以下、「前傾姿勢」という）とに変更可能に構成されている。
【０００３】
この花卉運搬台車１によれば、小さな多数の鉢物等を収容したフラワーコンテナ及びバケット（いずれも図示せず）を各棚板４に乗せた状態で花卉市場へ搬入することができる。また、背丈の異なる各種園芸植物に対応させて各棚板４の間隔を変更できる。しかも、搬入後の園芸植物の展示に際して、図７に示すように、棚板４を前傾姿勢にして顧客が奥側の園芸植物を見易くするように構成されている。
【０００４】
【発明が解決しようとする課題】
この従来技術によれば、各棚板４を図６の水平姿勢から図７の前傾姿勢に変更するには、棚板４の四隅に付設されているフック〔図４（Ｃ）（Ｄ）中の符号９参照〕のうち前側のフック９を後側のフック係合孔１２よりも一段下方のフック係合孔１２に掛け替える必要がある。ところで、各棚板４のフック９の掛け替え作業は棚板４にフラワーコンテナやバケットを乗せた状態で実施することは実際上極めて困難である。また、棚板４にフラワーコンテナやバケットを乗せない状態であってもフック９の掛け替え作業自体は容易でなく大変手間取るという難点がある。
【０００５】
本発明はこのような事情に鑑みてなされたものであり、その目的は、フラワーコンテナやバケットを乗せた状態で棚板４を水平姿勢から前傾姿勢に変更でき、しかも、その前傾姿勢への変更が容易にできる花卉運搬台車を提供することにある。
【０００６】
【課題を解決するための手段】
本発明は従来例と同様の基本構成を備える。
例えば図１及び図２に示すように、略矩形の基台２に複数の走行車輪７を設けるとともに、当該基台２の各コーナ近傍部にそれぞれ支柱３を設け、これらの支柱３に複数の棚板４を上下多段で高さ変更可能に装着するフック係合孔１２を設け、上記棚板４を水平姿勢と前傾姿勢とに変更可能に構成する。
【０００７】
上記課題を解決するために、本発明は以下の特徴構成を備える。
即ち、請求項１に記載の発明は、上記基本構成を備える花卉運搬台車において、例えば図１〜図３に示すように、上記基台２の少なくとも後方左右のコーナ近傍部に支柱保持筒８・８を設け、これらの支柱保持筒８・８でそれぞれ支柱３・３を昇降可能に保持し、各支柱保持筒８にあけたピン挿入孔１０にそれぞれピン１１を着脱自在に挿入して後方の各支柱３・３を前方の各支柱３・３に対して相対上昇位置で受け止めることにより、前記棚板４が前傾姿勢となるように構成したことを特徴とする。
【０００８】
請求項２に記載の発明は、請求項１に記載の花卉運搬台車において、例えば図３に示すように、各支柱保持筒８に上記ピン１１の脱落を防止するピン拘束手段２０を付設したことを特徴とする。
【０００９】
請求項３に記載の発明は、請求項１又は請求項２に記載の花卉運搬台車において、例えば図５に示すように、各支柱３の同じ高さのフック係合孔１２を同じ形状に形成するとともに、上下に隣接するフック係合孔１２を異形状に形成したことを特徴とする。
【００１０】
【発明の作用・効果】
本発明によれば、以下の作用・効果を奏する。
（イ）請求項１に記載の発明では、前記基本構成を備える花卉運搬台車において、例えば図１〜図３に示すように、上記基台２の少なくとも後方左右のコーナ近傍部に支柱保持筒８・８を設け、これらの支柱保持筒８・８でそれぞれ支柱３・３を昇降可能に保持し、各支柱保持筒８にあけたピン挿入孔１０にそれぞれピン１１を着脱自在に挿入して後方の各支柱３・３を前方の各支柱３・３に対して相対上昇位置で受け止めることにより、前記棚板４が前傾姿勢となるように構成したことから、フラワーコンテナやバケットを乗せた状態で棚板４を水平姿勢から前傾姿勢へ容易に変更できる。
【００１１】
即ち、フラワーコンテナやバケットを乗せた状態で、基台２の後方左右の支柱３・３を持ち上げて、各支柱保持筒８にあけたピン挿入孔１０にそれぞれピン１１を挿入して後方の各支柱３を前方の各支柱３に対して相対上昇位置で受け止めることにより、上下多段の棚板４は一斉に前傾姿勢になる。これにより、フラワーコンテナを乗せた状態で棚板４を水平姿勢から前傾姿勢へ容易に変更できる。
【００１２】
（ロ）請求項２に記載の発明では、請求項１に記載の花卉運搬台車において、例えば図３に示すように、各支柱保持筒８に上記ピン１１の脱落を防止するピン拘束手段２０を付設したことから、上記ピン１１の脱落による紛失を防止することができる。
【００１３】
（ハ）請求項３に記載の発明では、請求項１又は請求項２に記載の花卉運搬台車において、例えば図５に示すように、各支柱３の同じ高さのフック係合孔１２を同じ形状に形成するとともに、上下に隣接するフック係合孔１２を異形状に形成したことから、同じ高さのフック係合孔１２を容易に見分けることができる。これにより、棚板４のフック９を各支柱３の同じ高さのフック係合孔１２に間違いなく装着することができる。
【００１４】
【発明の実施の形態】
以下、本発明の実施形態を添付図面に基づいて説明する。
図１は本発明に係る花卉運搬台車の斜視図で、棚板が前傾姿勢の状態を示し、図２は同花卉運搬台車の斜視図で、棚板が水平姿勢の状態を示す。
この花卉運搬台車１は、図１及び図２に示すように、略矩形のアルミ合金製の基台２の下面に４個の走行車輪７を設けるとともに、当該基台２の各コーナ近傍部にそれぞれアルミ合金製の支柱保持筒８を設け、各支柱保持筒８でそれぞれアルミ合金製の支柱３を昇降可能に保持し、各支柱３に複数の棚板４を上下多段で高さ変更可能に装着するフック係合孔１２を設け、上記棚板４を水平姿勢（図２）と前傾姿勢（図１）とに変更できるように構成されている。
【００１５】
上記支柱保持筒８は、図１〜図２、図４（Ａ）（Ｂ）に示すように、基台２の左右両端面のコーナ近傍部に溶接されており、これらの支柱保持筒８のうちの後方の支柱保持筒８・８の前面に、それぞれピン挿入孔１０があけられ、各ピン挿入孔１０にそれぞれピン１１が着脱自在に挿入される。つまり、後方の各支柱３・３を前方の各支柱３・３に対して相対上昇位置で受け止めることにより、前記棚板４が前傾姿勢となるように構成されている。
【００１６】
これは、フラワーコンテナやバケットを乗せた状態で棚板４を水平姿勢から前傾姿勢へ容易に変更できるように意図したものである。即ち、基台２の後方左右の支柱３・３を持ち上げて、各支柱保持筒８にあけたピン挿入孔１０にそれぞれピン１１を挿入して後方の各支柱３・３を前方の各支柱３・３に対して相対上昇位置で受け止めることにより、上下多段の棚板４は一斉に前傾姿勢になり、フラワーコンテナやバケットを乗せた状態で棚板４を水平姿勢から前傾姿勢へ容易に変更できる。
【００１７】
なお、上記基台２は、図４（Ａ）（Ｂ）に示すように、前後左右の其枠２ａ・２ｂに凹凸状のアルミ合金製波板２ｃを略水平に固設して構成され、各凹部には水抜き孔２ｄがあけられている。前後左右の其枠２ａ・２ｂの下面には座板２ｅを介して走行車輪７が設けられ、そのうちの右側の走行車輪７は首振り可能に、左側の走行車輪７は首振り不能に設けられている。ここで、図４（Ａ）は花卉運搬台車の要部の正面図、図４（Ｂ）は基台２の底面図である。
【００１８】
上記棚板４は、図４（Ｃ）（Ｄ）に示すように、前後左右の機枠４ａ・４ｂに凹凸状のアルミ合金製波板４ｃを略水平に固設され、前後の機枠４ａ・４ａの左右両端にそれぞれフック９を突設して構成されている。ここで、図４（Ｃ）は上記棚板４の底面図、４（Ｄ）その棚板４の要部の拡大断面図である。
【００１９】
後方の各支柱保持筒８には、図３（Ａ）〜（Ｃ）に示すように、ピン１１の脱落を防止するピン拘束手段２０が付設されている。これは、ピン１１の脱落による紛失を防止することを意図したものである。なお、上記ピン１１は、図３（Ａ）に示すように、ピン挿入孔１０内に挿入するピン本体１１ａと、ピン本体１１ａよりも大径のフランジ部１１ｂと、フランジ部１１ｂに連設された取手部１１ｃとが合成樹脂材料により一体に形成されている。
【００２０】
上記ピン拘束手段２０は、ブッシュ２１を介してその先端部が上記ピン１１に固定された帯状の拘束ゴム２２と、その拘束ゴム２２の基端部を保持するために上記支柱保持筒８に溶接された吊持金具２３とから構成されている。なお、上記支柱保持筒８は、その横断面形状が図３（Ｃ）に示すように凹状に形成され、この支柱保持筒８内に、その横断面形状が凹状の支柱３が昇降自在に挿入される。
【００２１】
上記支柱保持筒８の底面には支柱３の底面を受け止める受け止め金具１４が溶接されている。また、前記棚板４を前傾姿勢にする場合には、上記ピン本体１１ａは、支柱３の底面を受け止めることとなる。なお、園芸植物の背丈が高くて、棚板４が余ってしまう場合には、不使用の棚板４は基台２上に重ねておくが、その棚板４が散逸しないように、フック９をフック収納溝１３に内に収納しておく。このフック収納溝１３は、図１及び図３（Ｃ）に示すように、上記支柱保持筒８と支柱３の基台側に形成されている。
【００２２】
図５に示すように、各支柱３の基台側の対向する面には、上下多段にフック係合孔１２が形成される。これらのフック係合孔１２は、同じ高さのものは同じ形状に形成され、上下に隣接するフック係合孔１２は異形状（ここでは相互に逆向きとなる形状）に形成されている。これは、同じ高さのフック係合孔１２を容易に見分けることができるように意図したものである。これにより、棚板４のフック９を各支柱３の同じ高さのフック係合孔１２に間違いなく装着することができる。
【００２３】
この発明は上記の実施形態に限定されるものではなく、この発明の要旨を変更しない範囲内において、種々の設計変更を施すことが可能である。
（ａ）上記の実施形態では、基台２の４つのコーナ近傍部にそれぞれ支柱保持筒８を固設したものについて例示したが、これは支柱３を取り外すことにより、図４（Ａ）に示すように、台車の背丈が低くなり、台車の運搬時の利便性を考慮したもので、本発明では、少なくとも後方の左右のコーナ近傍部に支柱保持筒８を設けたものであれば足りる。
【００２４】
（ｂ）上記の実施形態では、軽量化の観点から殆どの部材をアルミ合金製で構成したが、各種部材はアルミ合金には限らない。
（ｃ）上記の実施形態では、ピン拘束手段２０を備えるものについて例示したが、ピン拘束手段は無くても差し支えない。また、ピン１１は合成樹脂製のものには限らない。
（ｄ）その他、基台２や支柱３、フック係合孔１２、棚板４、支柱保持筒８等の具体的な形状についても、適宜変更を加えて実施することができる。
【図面の簡単な説明】
【図１】本発明に係る花卉運搬台車の斜視図で、棚板が前傾姿勢の状態を示す。
【図２】本発明に係る花卉運搬台車の斜視図で、棚板が水平姿勢の状態を示す。
【図３】図３（Ａ）はピン拘束手段の取り付け状態を示す要部縦断側面図、図３（Ｂ）はそのピン拘束手段の正面図、図３（Ｃ）はそのピン拘束手段の取り付け個所の要部横断平面図である。
【図４】図４（Ａ）は花卉運搬台車の要部の正面図、図４（Ｂ）は基台２の底面図、図４（Ｃ）は棚板の底面図、図４（Ｄ）は棚板の要部拡大縦断面図である。
【図５】本発明に係る花卉運搬台車の側面図である。
【図６】従来例に係る花卉運搬台車の斜視図で、棚板が水平姿勢の状態を示す。
【図７】従来例に係る花卉運搬台車の斜視図で、棚板が前傾姿勢の状態を示す。
【符号の説明】
１…花卉運搬台車、２…基台、３…支柱、４…棚板、５…、６…、７…走行車輪、８…支柱保持筒、１０…ピン挿入孔、１１…ピン、１２…フック係合孔、２０…ピン拘束手段。
【図１】
2004017858.tif 000003
【図２】
2004017858.tif 000004
【図３】
2004017858.tif 000005
【図４】
2004017858.tif 000006
【図５】
2004017858.tif 000007
【図６】
2004017858.tif 000008
【図７】
2004017858.tif 000009
【手続補正書】
【提出日】平成14年9月26日(2002.9.26)
【手続補正１】
【補正対象書類名】明細書
【補正対象項目名】全文
【補正方法】変更
【補正の内容】
【発明の詳細な説明】
【特許請求の範囲】
【請求項１】矩形状に形成されてなる基台（２）の下側に複数の走行車輪（７）が設けられ、上記基台（２）の各コーナ近傍部のそれぞれに、上下方向に複数の棚板（４）を間隔変更可能に装着する複数のフック係合孔（１２）を備えた支柱（３）が設けられるとともに、これら支柱（３）のフック係合孔（１２）により上記棚板（４）が水平姿勢または前下がりの傾斜姿勢に支持されてなる花卉運搬台車において、上記基台（２）の少なくとも後部左右のコーナ近傍部に、上記支柱（３）が昇降可能に嵌挿され、ピン（１１）が挿脱自在に嵌合されるピン嵌合孔（１０）を備えてなる支柱保持筒（８）を設けたことを特徴とする花卉運搬台車。
【請求項２】請求項１に記載の花卉運搬台車において、上記各支柱保持筒（８）に、上記ピン（１１）の脱落を防止するピン脱落防止手段（２０）を付設したことを特徴とする花卉運搬台車。
【請求項３】請求項１または２のうちの何れかに記載の花卉運搬台車において、上記各支柱（３）の同高さのフック係合孔（１２）を同一形状に形成するとともに、隣接する上下のフック係合孔（１２）を異なる形状に形成したことを特徴とする花卉運搬台車。
【発明の詳細な説明】
【０００１】
【発明の属する技術分野】
本発明は、生花市場等で取引される園芸植物を運搬する際に使用される花卉運搬台車に関する。
【０００２】
【従来の技術】
この種の花卉運搬台車としては、例えば特開平７−７６２７８号公報に開示されてなるものが公知である。以下、この従来例の花卉運搬台車を、添付図面に基づいて説明する。図６は棚板が水平に支持されてなる花卉運搬台車の斜視図であり、図７は棚板が前傾状態に支持されてなる花卉運搬台車の斜視図である。
【０００３】
上記従来例に係る花卉運搬台車は、図６に示すように、矩形状の基台２の下側に複数の走行車輪７が設けられるとともに、上記基台２の上の各コーナ近傍部のそれぞれに支柱３が設けられている。これら支柱３には、上下方向に複数の棚板４を間隔変更可能に装着する複数のフック係合孔１２が設けられており、これらフック係合孔１２により上記棚板４が水平に支持されている。この場合、棚板４が水平姿勢になるように支持されているが、必要に応じて、図７に示すように、棚板４が前下がりの前傾姿勢になるように支持される。つまり、この従来例に係る花卉運搬台車では、棚板４を水平姿勢または前下がりの前傾姿勢の何れの姿勢にも支持し得るように構成されている。
【０００４】
この従来例に係るの花卉運搬台車によれば、図示しない多数の小さな鉢物等を収容したフラワーコンテナやバケットを各棚板４の上に載置して花卉市場へ搬入することができる。また、棚板４のの間隔を背丈の異なる各種園芸植物に応じて変更することができ、しかも図７に示すように、棚板４を前下がりの前傾姿勢にすることにより、搬入後の展示植物を見易くすることができる。
【０００５】
【発明が解決しようとする課題】
上記従来例に係る花卉運搬台車によれば、棚板４を前下がりの前傾姿勢にするためには、棚板４の前側を後側の係合孔９より高さが低い前側の係合孔９に組み替える必要がある。しかしながら、各棚板４の上にフラワーコンテナやバケットを載置したままこのような棚板４の組み替え作業を実施することは、実際上極めて困難であるため、棚板４の組み替えに際しては、フラワーコンテナやバケットを棚板４から下ろさなければならず、棚板４の組み替え作業に長時間を要するという問題がある。また、棚板４の上にフラワーコンテナやバケットが載置されていなくても、棚板４の組み替えは容易でなく、大変な手間を要していた。
【０００６】
従って、本発明の目的は、フラワーコンテナやバケットを載置したままで棚板を水平姿勢から前下がりの前傾姿勢に組み替えることができ、しかも容易に組み替えることを可能ならしめる花卉運搬台車を提供することである。
【０００７】
【課題を解決するための手段】
本発明は、上記課題を解決するために、花卉運搬台車を下記のように構成にしたものである。
即ち、請求項１に記載の発明は、矩形状に形成されてなる基台２の下側に複数の走行車輪７が設けられ、上記基台２の各コーナ近傍部のそれぞれに、上下方向に複数の棚板４を間隔変更可能に装着する複数のフック係合孔１２を備えた支柱３が設けられるとともに、これら支柱３のフック係合孔１２により上記棚板４が水平姿勢または前下がりの傾斜姿勢に支持されてなる花卉運搬台車において、上記基台２の少なくとも後部左右のコーナ近傍部に、上記支柱３が昇降可能に嵌挿され、ピン１１が挿脱自在に嵌合されるピン嵌合孔１０を備えてなる支柱保持筒８を設けたことを特徴とする。
【０００８】
また、請求項２に記載の発明は、請求項１に記載の花卉運搬台車において、上記各支柱保持筒８に、上記ピン１１の脱落を防止するピン脱落防止手段２０を付設したことを特徴とする。
【０００９】
また、請求項３に記載の発明は、請求項１または２のうちの何れかに記載の花卉運搬台車において、上記各支柱３の同高さのフック係合孔１２を同一形状に形成するとともに、隣接する上下のフック係合孔１２を異なる形状に形成したことを特徴とする。
【００１０】
【発明の実施の形態】
以下、本発明の実施の形態に係る花卉運搬台車を、添付図面に基づいて説明する。図１は棚板が前下がりの前傾姿勢である花卉運搬台車の斜視図であり、図２は棚板が水平姿勢である花卉運搬台車の斜視図である。図３（Ａ）はピン脱落防止手段の取付け状態を示す要部縦断側面図であり、図３（Ｂ）はピン脱落防止手段の正面図であり、図３（Ｃ）はピン脱落防止手段の取付け個所の要部横断面図である。図４（Ａ）は花卉運搬台車の要部の正面図であり、図４（Ｂ）は花卉運搬台車の基台の底面図であり、図４（Ｃ）は花卉運搬台車の棚板の底面図であり、図４（Ｄ）は花卉運搬台車の棚板の要部拡大縦断断面図である。図５は花卉運搬台車の側面図である。
【００１１】
図１，２に示す符号１は、本発明の実施の形態に係る花卉運搬台車である。
この花卉運搬台車１は、矩形状に形成されたアルミニウム合金からなる基台２を備えている。この基台２の下側に複数の走行車輪７が設けられるとともに、上記基台２の各コーナ近傍部のそれぞれに、アルミニウム合金からなる支柱保持筒８が突設されている。そして、前側同士、後側同士の支柱保持筒８の相対する側面に棚板４を取付けるためのフック係合孔１２が設けられた、アルミニウム合金からなる支柱３が昇降可能に嵌挿されている。上記フック係合孔１２は、支柱３の長手方向に所定の間隔で複数設けられており、棚板４を水平姿勢と、前下がりの前傾姿勢になるように取付け得るように構成されている。
【００１２】
上記基台２は、図４（Ａ），（Ｂ）に示すように構成されている。即ち、この基台２はアルミニウム合金からなり、前後の機枠構成部材２ａ，２ａと左右の機枠構成部材２ｂ，２ｂとからなる枠体を備えている。この枠体には、凹凸状に形成されたアルミニウム合金からなる波板２ｃが張設されており、この波板２ｃの凹部に水抜き孔２ｄがあけられている。上記基枠２ａ，２ｂの下側の各コーナ部近傍に座板２ｅが固着されており、これら座板２ｅのそれぞれに上記走行車輪７が取付けられている。これら４個の走行車輪７のうち、図４（Ａ）における右側の走行車輪７は方向変更可能に構成され、左側の走行車輪７は方向変換不能に構成されている。
【００１３】
上記支柱保持筒８は、基台２の前後の左右コーナ部の端面に上向きに溶接付けされている。そして、これら４本の支柱保持筒８のうち、後部側左右の２本の支柱保持筒８のそれぞれに、ピン１１が挿脱自在に嵌合されるピン嵌合孔１０が設けられている。上記ピン１１は、後部側左右の２本の支柱保持筒８に嵌挿された支柱３を、前側の２本の支柱保持筒８に嵌挿された支柱３よりも高い位置で支持する働きをするものである。これは、フラワーコンテナやバケットを載置したままで棚板４を、容易に水平姿勢から前下がりの前傾姿勢に変更することを意図としたものである。
【００１４】
後部左右の２本の支柱保持筒８には、図３（Ａ）乃至図３（Ｃ）に示すように、ピン１１の脱落を防止するピン脱落防止手段２０が付設されている。このピン脱落防止手段２０は、止めリング２１を介して下端がピン１１に固定されるピン吊持ゴム２２と、上記支柱保持筒８に溶接され、上記ピン吊持ゴム２２の基端が連結される吊持金具２３とから構成されている。これにより、ピン１１の脱落による紛失を防止することができる。
【００１５】
上記ピン１１は、合成樹脂材料により一体形成されている。そして、このピン１１は、図３（Ａ）に示すように、ピン嵌合孔１０に嵌挿されるピン本体１１ａと、このピン本体１１ａよりも大径のフランジ部１１ｂと、このフランジ部１１ｂから突出する把手部１１ｃとから構成されている。なお、上記支柱保持筒８の横断面形状は、図３（Ｃ）に示すように、凹字状に形成されており、そして上記支柱保持筒８の下部には、この支柱保持筒８に昇降自在に嵌挿入されるチャンネル状の横断面形状をして支柱３の下端面を受止めるための受止め金具１４が溶接されている。
【００１６】
上記棚板４は、図４（Ｃ）、及び図４（Ｄ）に示すように構成されている。
即ち、この棚板４はアルミニウム合金からなり、前後の機枠構成部材４ａ，４ａと左右の機枠構成部材４ｂ，４ｂとからなる枠体を備えており、この枠体に凹凸状に形成されたアルミニウム合金からなる波板４ｃが張設されている。
そして、前後の機枠構成部材４ａ，４ａの両端面に、上記フック係合孔１２に着脱自在に係合されるフック９が突設されている。
【００１７】
上記支柱３の上下に複数設けられるフック係合孔１２は、図５に示すように、上側に円弧状切欠き部を有するものと、下側に円弧状切欠き部を有するものとの２種類があり、これら２種類の形状のフック係合孔１２が支柱の上下方向に交互に設けられている。そして、支柱３を同高さにした場合、同一高さにあるフック係合孔１２の形状が同じ形状になるように配慮されている。これは、同じ高さのフック係合孔１２を容易に見分けることができるように意図したものであり、これにより、フック９を各支柱３に設けられた同じ高さのフック係合孔１２に間違えなく嵌込にで棚板４を取付けることができる。
【００１８】
以下、本実施の形態に係る上記構成になる花卉運搬台車１の作用態様を説明する。初期段階において支柱３のフック係合孔１２にフック９を嵌込んで棚板４を取付ける場合には上記従来例と同様の作業手順によりに行われる。しかしながら、フラワーコンテナやバケットが載置された水平姿勢の棚板４を前下がりの前傾姿勢にする場合には、後部左右の支柱３を上昇させ、後部左右の支柱支持筒８のピン嵌合孔１０にピン１１のピン本体１１ａを嵌合することにより、ピン１１のピン本体１１ａにより後部左右の支柱３を上昇させた位置で支持する。
【００１９】
これにより、下記のとおりの作業により容易に、水平姿勢の棚板４を前下がりの前傾姿勢にすることができる。本実施の形態に係る花卉運搬台車１によれば、従来例のように、棚板からフラワーコンテナやバケットを下ろし、水平姿勢の棚板を前下がりの傾斜姿勢に組替え、組替えた棚板に下ろしたフラワーコンテナやバケットを再び載置する必要がない。従って、本実施の形態に係る花卉運搬台車１によれば、従来例よりも遥に短時間のうちに、しかも容易に棚板の姿勢を変更することができるという優れた効果がある。
【００２０】
なお、本発明は上記実施の形態に限定されるものではなく、この発明の要旨を逸脱しない範囲内における設計変更は自在である。
（ａ）上記実施の形態では、基台２の４つのコーナ近傍部のそれぞれに支柱保持筒８を設けた場合を例として説明したが、棚板４の姿勢変更の容易化のためには、基台２の後部左右だけに支柱保持筒８が設けられていれば足りるものである。なお、基台２の前部左右にも支柱保持筒８を設けたのは、支柱３を抜取って台車の高さを低くすることにより、台車運搬時の利便性を考慮したものである。
【００２１】
（ｂ）上記実施の形態では、軽量化のために花卉運搬台車１をアルミニウム合金により構成したが、アルミニウム合金に限らないものである。
（ｃ）上記実施の形態では、ヒン脱落防止手段２０を備えた場合を例として説明したが、ピン脱落防止手段２０は設けられていなくとも差し支えない。また、ピン１１は合成樹脂材料により形成したが、合成樹脂材料でなくてもよい。
（ｄ）その他、基台２、支柱３，フック嵌合孔１２、棚板４、支柱保持筒８等の具体的な形状についても、適宜変更することができる。
【００２２】
【発明の効果】
本発明の請求項１に係る花卉運搬台車１は、基台２の少なくとも後部左右のコーナ近傍部に、支柱３が昇降可能に嵌挿され、ピン１１が挿脱自在に嵌合されるピン嵌合孔１０を備えてなる支柱保持筒８が設けられている。そのため、後部左右の支柱３を上昇させ、後部左右の支柱支持筒８のピン嵌合孔１０にピン１１を嵌合して、このピン１１によって後部左右の支柱３を上昇させた位置で支持することにより、水平姿勢の棚板４を前下がりの前傾姿勢にすることができる。
従って、本発明の請求項１に係る花卉運搬台車１によれば、従来例のように、棚板からフラワーコンテナやバケットを下ろし、水平姿勢の棚板を前下がりの傾斜姿勢に組替え、組替えた棚板に下ろしたフラワーコンテナやバケットを再び載置４する必要がないから、従来例よりも遥に短時間のうちに、しかも容易に棚板の姿勢を変更することができるという優れた効果がある。
【００２３】
本発明の請求項２に係る花卉運搬台車１によれば、請求項１に記載の花卉運搬台車において、各支柱保持筒８に、ピン１１の脱落を防止するピン脱落防止手段２０を付設したから、ピン１１の脱落による紛失を防止することができる。
【００２４】
本発明の請求項３に係る花卉運搬台車１によれば、請求項１または２のうちの何れかに記載の花卉運搬台車において、各支柱３の同高さのフック係合孔１２を同一形状に形成するとともに、隣接する上下のフック係合孔１２を異なる形状に形成した。従って、同高さのフック係合孔１２を容易に見分けることができるから、棚板４を各支柱３の同高さのフック係合孔１２に取付けることができる。
【図面の簡単な説明】
【図１】本発明の実施の形態に係り、棚板が前下がりの前傾姿勢である花卉運搬台車の斜視図である。
【図２】本発明の実施の形態に係り、棚板が水平姿勢である花卉運搬台車の斜視図である。
【図３】本発明の実施の形態に係り、図３（Ａ）はピン脱落防止手段の取付け状態を示す要部縦断側面図、図３（Ｂ）はピン脱落防止手段の正面図、図３（Ｃ）はピン脱落防止手段の取付け個所の要部横断面図である。
【図４】本発明の実施の形態に係り、図４（Ａ）は花卉運搬台車の要部の正面図、図４（Ｂ）は花卉運搬台車の基台の底面図、図４（Ｃ）は花卉運搬台車の棚板の底面図、図４（Ｄ）は花卉運搬台車の棚板の要部拡大縦断断面図である。
【図５】本発明の実施の形態に係り、花卉運搬台車の側面図である。
【図６】従来例にに係り、棚板が水平に支持されてなる花卉運搬台車の斜視図である。
【図７】従来例にに係り、棚板が前傾状態に支持されてなる花卉運搬台車の斜視図である。
【符号の説明】
１…花卉運搬台車、２…基台、２ａ…機枠構成部材、２ｂ…機枠構成部材、
２ｃ…波板、２ｄ…水抜き孔、２ｅ…座板、３…支柱、４…棚板、４ａ…機枠構成部材、４ｂ…機枠構成部材、７…走行車輪、８…支柱保持筒、９…フック、１０…ピン嵌合孔、１１…ピン、１１ａ…ピン本体、１１ｂ…フランジ部、１１ｃ…把手、１２…フック係合孔、１４…受止め金具、２０…ピン脱落防止手段、２１…止めリング、２２…ピン吊持ゴム、２３…吊持金具